(57)【要約】      （修正有）【課題】消費電力に係る所定の電力要求を満たすためにディスプレイの消費電力を規制する。【解決手段】電力制御可能な表示装置（ＰＣＤＤ）における消費電力を規制する方法を含む。その方法は、ａ）エネルギー効率に基づいて上記ＰＣＤＤのバックライトレベルを選択する選択工程と、ｂ）上記バックライトレベルを用いて上記ＰＣＤＤのディスプレイ上に表示されるように画像コンテンツを調整することにより上記バックライトレベルを補正するコンテンツ調整工程と、ｃ）上記ＰＣＤＤでの電力制御イベントの通知を受信する受信工程と、ｄ）上記電力制御イベントに応じて上記バックライトレベルを調整するレベル調整工程と、を含む。【選択図】図４
2011175243.tif 000002
【特許請求の範囲】
【請求項１】
電力制御可能な表示装置（ＰＣＤＤ）における消費電力を規制する方法であって、
ａ）エネルギー効率に基づいて上記ＰＣＤＤのバックライトレベルを選択する選択工程と、
ｂ）上記バックライトレベルを用いて上記ＰＣＤＤのディスプレイ上に表示されるように画像コンテンツを調整することにより上記バックライトレベルを補正するコンテンツ調整工程と、
ｃ）上記ＰＣＤＤにおいて電力制御イベントの通知を受信する受信工程と、
ｄ）上記電力制御イベントに応じて上記バックライトレベルを調整するレベル調整工程と、
を含むことを特徴とする方法。
【請求項２】
画像コンテンツを調整する上記コンテンツ調整工程は、
上記画像コンテンツのローパスバージョンに対してトーンスケール調整曲線を適用し、上記画像コンテンツのハイパスバージョンに対して定ゲイン乗数を適用する適用工程を含むことを特徴とする請求項１に記載の方法。
【請求項３】
電力制御可能な表示装置（ＰＣＤＤ）における消費電力を規制する方法であって、
ａ）個々の発光画素を有するディスプレイを含む上記ＰＣＤＤにおいて電力制御イベントの通知を受信する受信工程と、
ｂ）上記電力制御イベントに応じて上記ディスプレイ上に表示されるように画像コンテンツを調整するコンテンツ調整工程と、を含み、
ｃ）上記コンテンツ調整工程は、上記画像コンテンツに対してトーンスケール調整曲線を適用する適用工程を含むことを特徴とする方法。
【請求項４】
ａ）上記ＰＣＤＤの上記ディスプレイ上にプロンプトを表示することによって、消費電力に関するユーザ嗜好データの入力をユーザに指示する指示工程と、
ｂ）上記ＰＣＤＤを制御する遠隔制御装置を介して、上記ＰＣＤＤにおいて消費電力に関するユーザ嗜好データを受信する受信工程と、
ｃ）装置制御データを含む、上記ＰＣＤＤのためのディスプレイ制御スケジュールであって、電力制御イベントの上記通知および上記ユーザ嗜好データに基づくものであるディスプレイ制御スケジュールを生成する生成工程と、
ｄ）上記ディスプレイ制御スケジュールに従って上記画像コンテンツを更に調整するコンテンツ調整工程と、
を更に含むことを特徴とする請求項１または３に記載の方法。
【請求項５】
電力制御イベントの通知を受信する上記受信工程は、無線ネットワーク接続上で発生することを特徴とする請求項１または３に記載の方法。
【請求項６】
電力制御イベントの通知を受信する上記受信工程は、ＲＦテレビチャネル上で発生することを特徴とする請求項１または３に記載の方法。
【請求項７】
電力制御イベントの通知を受信する上記受信工程は、ケーブルテレビチャネル上で発生することを特徴とする請求項１または３に記載の方法。
【請求項８】
電力制御イベントの上記通知は、電力供給者から受信されることを特徴とする請求項１または３に記載の方法。
【請求項９】
トーンスケール調整曲線を適用する上記適用工程は、上記画像のローパスバージョンに対してトーンスケール調整曲線を適用し、上記画像のハイパスバージョンに対して定ゲイン乗数を適用する適用工程を含むことを特徴とする請求項３に記載の方法。
【請求項１０】
電力制御可能な表示装置（ＰＣＤＤ）における消費電力を規制する方法であって、
ａ）個々の発光画素を有するディスプレイを含む上記ＰＣＤＤにおいて電力制御イベントの通知を受信する受信工程と、
ｂ）上記電力制御イベントに応じて上記ディスプレイにおけるディスプレイ輝度設定を低下させる低減工程と、
を含むことを特徴とする方法。
【請求項１１】
ａ）上記ＰＣＤＤのディスプレイ上にプロンプトを表示することによって、消費電力に関するユーザ嗜好データの入力をユーザに指示する指示工程と、
ｂ）上記ＰＣＤＤを制御する遠隔制御装置を介して、上記ＰＣＤＤにおいて消費電力に関するユーザ嗜好データを受信する受信工程と、
ｃ）装置制御データを含む、上記ＰＣＤＤのためのディスプレイ制御スケジュールであって、電力制御イベントの上記通知および上記ユーザ嗜好データに基づくものであるディスプレイ制御スケジュールを生成する生成工程と、
ｄ）上記ディスプレイ制御スケジュールに従って上記ＰＣＤＤの上記ディスプレイの輝度を更に調整する輝度調整工程と、
を更に含むことを特徴とする請求項１０に記載の方法。
【請求項１２】
上記ディスプレイ上に表示された画像を補正することにより上記低下した輝度設定を補正する補正工程を更に含むことを特徴とする請求項１０に記載の方法。
【請求項１３】
画像を補正する上記補正工程は、上記画像のローパスバーションに対して、トーンスケール調整曲線を適用する適用工程を含むことを特徴とする請求項１２に記載の方法。
【請求項１４】
ディスプレイ輝度設定を低下させる上記低減工程は、複数の輝度設定での画像歪みの解析を含むことを特徴とする請求項１０に記載の方法。
【請求項１５】
電力制御イベントの通知を受信する上記受信工程は、ＲＦテレビチャネル上で発生することを特徴とする請求項１０に記載の方法。
【請求項１６】
電力制御可能な表示装置（ＰＣＤＤ）における消費電力を規制するためのシステムであって、
上記ＰＣＤＤは、ディスプレイを備え、
上記ＰＣＤＤは、
エネルギー効率に基づくバックライトレベルを選択し、
上記バックライトレベルを用いて上記ディスプレイ上に表示されるように画像コンテンツを調整することにより上記バックライトレベルを補正し、
電力制御イベントの通知を受信し、
上記電力制御イベントに応じて上記バックライトレベルを調整する
ことを特徴とするシステム。
【請求項１７】
電力制御可能な表示装置（ＰＣＤＤ）における消費電力を規制するためのシステムであって、
上記ＰＣＤＤは、個々の発光画素を有するディスプレイを備え、
上記ＰＣＤＤは、
電力制御イベントの通知を受信し、
上記電力制御イベントに応じて上記ディスプレイ上に表示されるように画像コンテンツを調整するものであり、
上記調整は、上記画像コンテンツに対してトーンスケール調整曲線を適用することを含む
ことを特徴とするシステム。
【請求項１８】
電力制御可能な表示装置（ＰＣＤＤ）における消費電力を規制するためのシステムであって、
上記ＰＣＤＤは、個々の発光画素を有するディスプレイを備え、
上記ＰＣＤＤは、
電力制御イベントの通知を受信し、
上記電力制御イベントに応じて上記ディスプレイにおけるディスプレイ輝度設定を低下させる
ことを特徴とするシステム。
【発明の詳細な説明】
【技術分野】
【０００１】
本発明は、表示装置を備える電力消費装置の管理および制御のための方法およびシステムであって、ユーザ嗜好の入力と同様に電力使用料金およびコストデータを受け付け可能な方法およびシステムに関するものである。これらの方法およびシステムは、ユーザ嗜好データと同様に電力使用料金およびコストデータに基づいて、装置の消費電力スケジュールを生成することができる。
【背景技術】
【０００２】
電力事業者には、平均的な電力需要の何倍にもなる極端なピーク需要を満たすことが求められている。ピーク電力需要を満たすという要求は、発電能力の大部分に対して求められるものである。このため、ピーク需要の削減は、公共事業者およびエネルギー管理者がもっとも関心を持っている。ピーク需要は、ピーク需要期間中の消費者による電気のより効率的な使用を通じて需要を削減することにより緩和され得る。ピーク需要は、ピーク需要期間からオフピーク期間へと時間をずらしての電力使用によって緩和されてもよい。
【０００３】
ピーク需要を緩和するための初期の試みには時間または使用価格設定が含まれ、その中で電力価格は使用時間または使用形式に基づいて変化する。多くの地域において、使用時間に基づいて電気料金が変化することは一般的である。営業用、住宅用、農業用などの使用形式に基づいて電気料金が変化することも一般的である。これらの使用形式のシナリオは、典型的には、個々の電力計と、事業拠点、灌漑ポンプまたは住宅などの特定の用途におけるアカウントとを用いることによって実施される。
【０００４】
配電における近年の進展においては、配電ネットワークに対して、ピーク需要を緩和できるようにエンドユーザの機器にデータを送信するための能力を提供している。このデータは、現在の電力使用料金のような電力価格設定データを含むことがある。ローカルユーザは、低電気使用料金をうまく利用し、電気使用イベントをスケジュールするために、この電気使用料金データを使用することができる。これらのシステムは、オフピーク期間の電力の使用を奨励し、ピーク需要期間の使用を抑制するための市場システム及び電力価格を利用している。
【発明の概要】
【０００５】
本発明のいくつかの実施形態は、電力制御可能な表示装置（ＰＣＤＤ）における消費電力を規制する方法を含む。その方法は、ａ）エネルギー効率に基づいて上記ＰＣＤＤのバックライトレベルを選択する選択工程と、ｂ）上記バックライトレベルを用いて上記ＰＣＤＤのディスプレイ上に表示されるように画像コンテンツを調整することにより上記バックライトレベルを補正するコンテンツ調整工程と、ｃ）上記ＰＣＤＤでの電力制御イベントの通知を受信する受信工程と、ｄ）上記電力制御イベントに応じて上記バックライトレベルを調整するレベル調整工程と、を含む。
【０００６】
本発明のいくつかの実施形態は、電力制御可能な表示装置（ＰＣＤＤ）における消費電力を規制する方法を含む。その方法は、ａ）個々の発光画素を有するディスプレイを含む上記ＰＣＤＤにおいて電力制御イベントの通知を受信する受信工程と、ｂ）上記電力制御イベントに応じて上記ディスプレイ上に表示されるように画像コンテンツを調整するコンテンツ調整工程と、を含み、ｃ）上記コンテンツ調整工程は、上記画像コンテンツに対してトーンスケール調整曲線を適用する適用工程を含む。
【０００７】
本発明のいくつかの実施形態は、電力制御可能な表示装置（ＰＣＤＤ）における消費電力を規制するためのシステムを含む。上記ＰＣＤＤは、ディスプレイを備える。上記ＰＣＤＤは、エネルギー効率に基づくバックライトレベルを選択し、上記バックライトレベルを用いて上記ディスプレイ上に表示されるように画像コンテンツを調整することにより上記バックライトレベルを補正し、電力制御イベントの通知を受信し、上記電力制御イベントに応じて上記バックライトレベルを調整する。
【０００８】
本発明のいくつかの実施形態は、電力制御可能な表示装置（ＰＣＤＤ）における消費電力を規制するためのシステムを含む。上記ＰＣＤＤは、個々の発光画素を有するディスプレイを備える。上記ＰＣＤＤは、電力制御イベントの通知を受信し、上記電力制御イベントに応じて上記ディスプレイ上に表示されるように画像コンテンツを調整する。上記調整は、上記画像コンテンツに対してトーンスケール調整曲線を適用することを含む。
【０００９】
本発明のいくつかの実施形態は、電力制御可能な表示装置（ＰＣＤＤ）における消費電力を調整するためのシステムを含む。上記ＰＣＤＤは、個々の発光画素を有するディスプレイを備える。上記ＰＣＤＤは、電力制御イベントの通知を受信し、上記電力制御イベントに応じて上記ディスプレイにおけるディスプレイの輝度設定を低下させる。
【００１０】
本発明の前述かつ他の目的および特徴および利点は、添付した図面と併用される本発明の下記の詳細な記述を考慮した上でより容易に理解されるだろう。
【図面の簡単な説明】
【００１１】
【図１】スマートメーター、電力管理サーバ、およびスマートテレビを含む本発明の一実施形態を示す図である。
【図２】主電力制御表示装置、および接続された電力消費装置を含む本発明の一施形態を示す図である。
【図３】主電力制御セットトップボックス、テレビ、および接続された電力消費装置を含む本発明の一実施形態を示す図である。
【図４】電力制御される表示装置を含む本発明の一実施形態を示す図である。
【図５】電力コストデータおよびユーザ嗜好データに基づいて消費電力スケジュールが生成される典型的な実施形態を示す図である。
【図６】電力コストデータ、テレビ番組データ、およびユーザ嗜好データに基づいて消費電力スケジュールが生成される典型的な実施形態を示す図である。
【図７】電力コストデータ、装置消費データ、およびユーザ嗜好データに基づいて消費電力スケジュールが生成される典型的な実施形態を示す図である。
【図８】電力制御イベントに応じてディスプレイのバックライトを調整する工程を含む方法のステップを示すチャート図である。
【図９】電力制御イベントに応じて画像コンテンツを調整する工程を含む方法のステップを示すチャート図である。
【図１０】電力制御イベントに応じてディスプレイの輝度を調整する工程を含む方法のステップを表したチャート図である
【発明を実施するための形態】
【００１２】
本発明の実施形態は、各所で示される図面を参照すれば最もよく理解できる。上記に列挙された図は、この詳細な説明の一部として明示的に引用される。
【００１３】
本発明に係る各コンポーネントは、以下の一般的な記載および本明細書に図面で示されるように、幅広く様々に異なる設定で変更および設計され得ることが容易に理解できる。したがって、以下に示す本発明の方法およびシステムに係る実施形態のより詳細な説明は、本発明の範囲を限定しようとするものではなく、あくまでも本発明の好ましい実施形態を表現したものに過ぎない。
【００１４】
さらに、本発明の実施形態に係る各要素は、ハードウェア、ファームウェア、および／またはソフトウェアによって実現され得る。ここに記載される典型的な実施形態は、これらの形態のうちのひとつについて述べるに過ぎないが、当業者は、本発明の範囲内に置かれている形態だけでなく、これらのあらゆる形態においてこれらの要素を達成し得ることが理解できるだろう。
【００１５】
本発明のいくつかの実施形態は、以下の係属している、あるいは発行された特許出願で述べられている要素を含んでもよく、それらは参照のために本明細書に引用されている。
・米国特許出願第１１／１５４，０５２号明細書、“Methods and Systems for Enhancing Display Characteristics,”、２００５年６月１５日出願、米国特許第２００６−０２８４８２２号公報として２００６年１２月２１日公開
・米国特許出願第１１／１５４，０５３号明細書、“Methods and Systems for Enhancing Display Characteristics with High-Frequency Contrast Enhancement,”、２００５年６月１５日出願、米国特許第２００６−０２８４８８２号公報として２００６年１２月２１日公開
・米国特許出願第１１／１５４，０５４号明細書、“Methods and Systems for Enhancing Display Characteristics with Frequency-Specific Gain,”、２００５年６月１５日出願、米国特許第２００６−０２８４８２３号公報として２００６年１２月２１日公開
・米国特許出願第１１／２２４，７９２号明細書、“Methods and Systems for Image-Specific Tone Scale Adjustment and Light-Source Control,”、２００５年９月１２日出願、米国特許第２００６−０１１９６１２号公報として２００６年６月８日公開
・米国特許出願第１１／２０２，９０３号明細書、“Methods and Systems for Independent View Adjustment in Multiple-View Displays,”、２００５年８月８日出願、米国特許第２００７−００３５５６５号公報として２００７年２月１５日公開
・米国特許出願第１１／３７１，４６６号明細書、“Methods and Systems for Enhancing Display Characteristics with Ambient Illumination Input,”、２００６年３月８日出願、米国特許第２００７−０２１１０４９号公報として２００７年９月１３日公開
・米国特許出願第１１／２９３，５６２号明細書、“Methods and Systems for Determining a Display Light Source Adjustment,”、２００５年１２月２日出願、米国特許第２００６−０２０９００３号公報として２００６年９月２１日公開
・米国特許出願第１１／２９３，０６６号明細書、“Methods and Systems for Display Mode Dependent Brightness Preservation,”、２００５年１２月２日出願、米国特許第２００６−０１１９６１３号公報として２００６年６月８日公開
・米国特許出願第１１／４６０，７６８号明細書、“Methods and Systems for Distortion-Related Source Light Management,”、２００６年７月２８日出願、米国特許第２００６−０２６２１１１号公報として２００７年１１月１日公開
・米国特許出願第１１／４６０，９０７号明細書、“Methods and Systems for Generating and Applying Image Tone Scale Corrections,”、２００６年７月２８日出願、米国特許第２００６−０２６７９２３号公報として２００６年１１月３０日公開
・米国特許出願第１１／４６０，９４０号明細書、“Methods and Systems for Color Preservation with Image Tonescale Corrections,”、２００６年７月２８日出願、米国特許第２００８−００２４５１７号公報として２００８年１月３１日公開、米国特許７，５１５，１６０号として２００９年４月７日発行
・米国特許出願第１１／４６５，４３６号明細書、“Methods and Systems for Selecting a Display Source Light Illumination Level,”、２００６年８月１７日出願、米国特許第２００６−０２７４０２６号公報として２００６年１２月７日公開、米国特許７，５１５，１６０号として２００９年４月７日発行
・米国特許出願第１１／５６４，２０３号明細書、“Methods and Systems for Image Tonescale Adjustment to Compensate for a Reduced Source Light Power Level,”、２００６年１１月２８日出願、米国特許第２００７−００９２１３９号公報として２００７年４月２６日公開
・米国特許出願第１１／６８０，３１２号明細書、“Methods and Systems for Brightness Preservation Using a Smoothed Gain Image,”、２００７年２月２８日出願、米国特許第２００７−０１４６２３６号公報として２００７年６月２８日公開
・米国特許出願第１１／６８０，５３９号明細書、“Methods and Systems for Surround-Specific Display Modeling,”、２００７年２月２８日出願、米国特許第２００８−０２０８５５１号公報として２００８年８月２８日公開
・米国特許出願第１１／８４５，６５１号明細書、“Methods and Systems for Tone Curve Generation, Selection and Application,”、２００７年８月２７日出願、米国特許第２００７−０２９１０４８号公報として２００７年１２月２０日公開
・米国特許出願第１１／９２９，７９６号明細書、“Methods and Systems for Backlight Modulation and Brightness Preservation,”、２００７年１０月３０日出願、米国特許第２００９−０１０９２３２号公報として２００９年４月３０日公開
・米国特許出願第１１／９２９，９１８号明細書、“Methods and Systems for Image Enhancement,”、２００７年１０月３０日出願、米国特許第２００９−０１０９２３３号公報として２００９年４月３０日公開
・米国特許出願第１１／９４８，９６９号明細書、“Methods and Systems for Weighted-Error-Vector-Based Source Light Selection,”、２００７年１１月３０日出願、米国特許第２００９−０１４０９７０号公報として２００９年６月４日公開
・米国特許出願第１１／９４８，９７８号明細書、“Methods and Systems for Backlight Modulation with Scene-Cut Detection,”、２００７年１１月３０日出願、米国特許第２００９−０１４１１７８号公報として２００９年６月４日公開
・米国特許出願第１１／９６４，６７４号明細書、“Methods and Systems for Display Source Light Illumination Level Selection,”、２００７年１２月２６日出願
・米国特許出願第１１／９６４，６８３号明細書、“Methods and Systems for Backlight Modulation with Image Characteristic Mapping,”、２００７年１２月２６日出願
・米国特許出願第１１／９６４，６８９号明細書、“Methods and Systems for Display Source Light Management with Histogram Manipulation,”、２００７年１２月２６日出願
・米国特許出願第１１／９６４，６９１号明細書、“Methods and Systems for Image Tonescale Design,”、２００７年１２月２６日出願
・米国特許出願第１１／９６４，６９５号明細書、“Methods and Systems for Display Source Light Management with Variable Delay,”、２００７年１２月２６日出願
・米国特許出願第１２／１１１，１１３号明細書、“Methods and Systems for Image Compensation for Ambient Conditions,”、２００８年４月２８日出願
・米国特許出願第１２／２０２，２４３号明細書、“Methods and Systems for Display Source Light Management with Rate Change Control,”、２００８年８月３０日出願。
【００１６】
以上の係属している、あるいは発行された特許出願は、ディスプレイの輝度を低下させることなくディスプレイの電力を削減するという共通の特徴を有している。しかしながら、これらの特許出願は、コンテンツだけに応じたＬＣＤバックライトの選択およびＬＣＤ画像の変更に関して述べているに過ぎず、電力を規制するという課題については述べていない。本発明は、消費電力に係る所定の電力要求を満たすためにディスプレイの消費電力を規制するという方法を導入することにより、この課題を解決している。
【００１７】
本発明に係るいくつかの実施形態は、消費電力を管理するために、電力使用料金あるいは価格設定データなどの電力事業者から供給されるデータを使用するための方法およびシステムを含む場合がある。いくつかの実施形態では、電力事業者から受信したデータに応じて、自動的に使用パラメータを調整してもよい。また、いくつかの実施形態は、表示装置のバックライトを規制することもあるし、電力事業者から受信したデータに応じてディスプレイのための画像データを処理することがあってもよい。いくつかの実施形態は、電力事業者データをユーザに提示するとともに、これに関連する消費電力パラメータを設定するためにユーザ入力を受け付けるインタラクティブなインターフェースを備えたテレビおよび画像表示装置を含んでもよい。また、いくつかの実施形態は、複数の電力消費装置を制御してもよい。いくつかの実施形態は、テレビ番組データを受け取ってもよく、番組コンテンツに関連するテレビの消費電力を管理してもよい。
【００１８】
本発明のいくつかの実施形態は、スマートメーターに接続されたテレビを含む場合がある。テレビは、一般的な家庭用電気製品と比較して異なる側面、すなわちユーザに情報を提示する能力、電力／質のスケーラビリティ、表示されるビデオコンテンツに依存して大きく変化する消費電力、およびその使用時間をずらす特別な能力を有する。これらの異なる側面は、ピーク電力の削減のために負荷時間をずらす従来のアプローチを制限する一方で、そのための追加のアプローチを提供する。
【００１９】
いくつかの実施形態では、テレビは、スマートメーターからの、電力網の警告、現在の電力価格とその履歴、および使用した統計量に関する情報を表示するために用いられることがある。また、いくつかの実施形態に係るテレビもしくはディスプレイは、電気ソケットもしくは他の家電製品に接続されたリモートモジュールとともに用いられる場合がある。これらのリモートモジュールは、主表示装置に対して、接続されている装置のエネルギー消費に関する結果を返してもよい。処理能力も有し得る主表示装置は、リモートリポーティングモジュールに取り付けられた装置に係る性能パラメータを調整してもよい。これらの調整は、エネルギー使用を抑える、および／または装置の性能を変化させるのに役立ち得る。いくつかの実施形態では、リモートモジュールは、単一の製品あるいは一群の製品がどの程度のエネルギーを使用しているかを計測し、そのデータを解析のためにコンピュータへ送信する場合がある。いくつかの実施形態では、そのコンピュータは、主表示装置の一部であってもよく、主表示装置とネットワーク接続された、これとは分離されたコンピュータであってもよい。典型的な実施形態においては、リモートモジュールは、冷蔵庫を稼動させるためにどの程度のコストが必要であるかを決定するのに役立ち得る。いくつかの実施形態においては、リモートモジュールは、テレビまたはコンピュータがスリープモードでどの程度のエネルギーを使用しているかを決定できる。こうした情報により、それら製品の電源を頻繁に落とすことが可能になり得る。主表示装置は、こうした情報を表示することができ、消費者が情報に基づく決定を行うのに役立つ信号をサーバに返すことができる。
【００２０】
いくつかの実施形態では、スマートテレビのような表示装置は、電力制御アルゴリズムを備えている場合があり、それは表示コンテンツと無関係に平均的な電力使用を制限するものでよい。いくつかの実施形態では、この処理を含む、相互に関係のある２つの側面を有していてもよい。
【００２１】
一つ目の側面は、電力網の状態、または電力コストの要素に基づく平均的な電力の境界に関する電力制御目標を決定することであり、電力事業者あるいは他者により供給されてもよい。この決定は、電力使用料金データおよびテレビの両方にアクセスできるサーバにおいて生じてもよいし、電気使用料金データにアクセスし、処理能力のあるスマートテレビで生じてもよい。
【００２２】
二つ目の側面では、電力制御目標を保証する１つ以上のアルゴリズムは、閲覧者にわずかな影響が及んでいる間に満たされるものである。消費電力目標を満たすために、テレビは、電力が削減されるにしたがって、画像の輝度、質もしくはサイズを低下させることができる。いくつかの実施形態では、この消費電力の調整は、ディスプレイのバックライトの輝度を調整することにより達成されてもよい。この単純な方法は、電力を抑える代わりに輝度を低下させる本発明のいくつかの実施形態においては、電力削減の代わりに、輝度あるいは他の画像の要素（ハイライト表示の細やかさなど）をどの程度削減するかを決定するためのより先進的なコストに関する機能を用いる場合もある。いくつかの実施形態では、この決定において考慮されるパラメータは、ディスプレイの属性、画像コンテンツ、閲覧条件（例えば周囲の照明）を含んでいてもよい。
【００２３】
本発明のいくつかの実施形態に係るシステムおよび方法は、図１を参照して説明できる。これらの実施形態は、電力網のような伝送媒体２を通して配電する電力会社のような電力提供者１から電力を受け取ることができる。これらの実施形態は、家庭、事業拠点、その他の団体に供給される電流、電圧、および電力のその他の要素を計測するように、スマートメーター４を含んでもよい。スマートメーター４は、電力供給者１と通信できてもよく、ワイヤレスネットワーク接続、携帯電話接続、ラジオ接続、電話接続、有線通信接続、または計算装置との間でデータを通信するのに適した他の通信接続手段のようなコミュニケーションリンク５を通して、電力提供者１から電力使用料金またはコストデータを受け取ってもよい。
【００２４】
スマートメーター４は、電力管理サーバ６と接続されていてもよく、単純な通信手段および計算リソース、もしくはより大規模なリソース、例えばマルチプロセッサおよび記憶装置から構成されていてもよい。電力管理サーバ６は、スマートテレビもしくは表示装置８と通信できる場合がある。いくつかの実施形態では、電力管理サーバ６は、テレビ８と電力使用および電力使用料金データを通信できる。また、いくつかの実施形態では、電力管理サーバ６は、テレビもしくは表示装置８と電力制御信号を通信する場合もある。この電力制御信号は、消費電力を規制するために、表示装置８のバックライト、および／または他のパラメータを規制する目的で提供される場合がある。バックライトおよび他のパラメータの規制に応じて、テレビもしくは表示装置８は、低下したバックライトレベル、または他の調整要素を補正するために、表示されたコンテンツを変更する場合がある。この詳細な説明の冒頭に参照のために引用された特許出願において、表示された画像コンテンツを変更する多くの方法が述べられている。
【００２５】
いくつかの実施形態においては、電力事業者１は、電力制御イベントおよびリアルタイムな価格設定情報を含む電力網イベントを、スマートメーター４と通信する。いくつかの実施形態では、電力制御イベントは、ピーク需要期間の表示、もしくは需要の変化に関する表示を含んでもよい。いくつかの実施形態では、電力制御イベントの通知は、電力需要の変化が起こるとき、または消費電力における変化が、電力消費者、地域もしくは環境に利益をもたらす可能性があるときに、周期的に送受信されてもよい。いくつかの実施形態では、電力制御イベントは、電力コストに関わるものでなくてもよく、および／または、環境的要因もしくは他の政策的要因に基づいてもよい。スマートメーター４は、電力管理サーバ６とこの情報を通信してもよい。そして、電力管理サーバ６は、他のタスクを行うためにテレビ８に情報を送信してもよい。例えば、いくつかの実施形態においては、電力管理サーバ６は、ユーザが電力管理の決定および選択を行うことを可能にするようなメッセージまたは情報をテレビに表示するためのデータを送信してもよい。電力管理サーバ６は、テレビの消費電力を管理するために、テレビにデータを送信することもある。電力を管理するために、テレビ８は、消費電力を抑えるための電力管理サーバ６からのコマンドに自動的に応答する場合がある。いくつかの場合では、これらの応答は、画像の輝度および／または画質を抑えて行われてもよい。しかし、いくつかの場合には、電力管理サーバ６またはテレビ８は、低下した電力レベルを補正するために表示された画像を補正する場合がある。この補正は、低下した電力レベルにおいて画像を表示することになり得るが、フル電力設定での表示と比べて知覚できるほどの差異はない。
【００２６】
なお、いくつかの実施形態においては、スマートメーター４、電力管理サーバ６、および、テレビもしくは表示装置８は、分離された装置のすべての機能を発揮する１つ以上の装置に実装されていてもよい。いくつかの実施形態では、遠隔制御装置１０は、テレビ８に表示される消費電力オプションに関連するユーザ入力を受け付けるとともに、一般的なテレビの制御機能を発揮するものとして用いられる場合がある。遠隔制御装置１０は、スマートメーター４および／または電力管理サーバ６と通信する場合もある。遠隔制御装置１０または本発明の実施形態においては、無線周波数信号、無線赤外線通信信号、有線通信処理、もしくは他の通信方法によって通信されてもよい。
【００２７】
本発明のいくつかの実施形態は、図２を参照して説明できる。これらの実施形態においては、電力は、電力会社１のような電力事業者によって、電力伝送網２からエントリーポイント２３を通り、計測される使用エリア、例えば居住地または事業拠点へ供給される。エントリーポイントは、電気メーターまたは電源オフスイッチを含む場合がある。ただし、これらの実施形態において、メーターまたはエントリーポイントは、情報を通信したり処理したりする必要はない。そして、そのメーターまたはエントリーポイント２３を過ぎると、電気配線２１などの私的な伝送ラインが、様々な家電製品、例えば冷蔵庫１１、空調ユニット１６、電気オーブン１３、テレビ１７、もしくは他の装置に電気を供給する。
【００２８】
いくつかの実施形態においては、この電気配線２１は、テレビ１７またはオーブン１３などの家電製品に備えられている電力監視ユニット（Ｐｏｗｅｒ  Ｍｏｎｉｔｏｒｉｎｇ  Ｕｎｉｔ；ＰＭＵ）で終端する。ＰＭＵは、電気受信機１２（すなわち、リモートメーター）、配電盤、またはブレーカーボックス（すなわち、リモートメーター）に備えられていてもよいし、サーモスタット１４、またはその他の遠隔制御装置の形態に備えられていてもよい。ＰＭＵは、電流、電圧、フェーズに関する電気的属性、および／または他の電気的属性を、ＰＭＵが接続されている装置のために計測してもよい。いくつかの実施形態では、ＰＭＵは、電力、エネルギーなどの値、および、他の電気使用または消費に関する値を計算する場合もある。
【００２９】
いくつかの実施形態では、ＰＭＵによって計測された属性およびＰＭＵによって計算されたあらゆる値は、電力制御および表示装置（Ｐｏｗｅｒ  Ｃｏｎｔｒｏｌ  Ｄｉｓｐｌａｙ  Ｄｅｖｉｃｅ；ＰＣＤＤ）、もしくは主電力制御および表示装置（Ｍａｓｔｅｒ  Ｐｏｗｅｒ  Ｃｏｎｔｒｏｌ  Ｄｉｓｐｌａｙ  Ｄｅｖｉｃｅ；ＭＰＣＤＤ）１７に送信される場合があり、これらはテレビチューナー２２を含む場合がある。ＭＰＣＤＤ１７は、処理装置、メモリおよびディスプレイを備えていてもよい。ＭＰＣＤＤは、エネルギー効率に基づいているバックライトレベルを選択できる。ＭＰＣＤＤは、このバックライトレベルを用いており、ＭＰＣＤＤ１７に表示される画像コンテンツを調整することによりこのバックライトレベルを補正できる。ＭＰＣＤＤ１７は、ＰＭＵからの電力制御イベントの通知のようなデータを受け取る場合があり、各装置１１、１３、１６の消費電力の特性だけでなく、一群の装置における重複する特性および全体としての特性を決定するためのデータを処理する。いくつかの実施形態において、ＭＰＣＤＤ１７は、テレビディスプレイコンポーネント（例えば、バックライト、画素アレイなど）、オーディオコンポーネント、またはその装置の他の部材といったＭＰＣＤＤ１７の１つ以上の部材のためのエネルギー使用および消費の特性を決定する。いくつかの実施形態では、ＭＰＣＤＤ１７は、電力制御メッセージを生成して、接続されたＰＭＵに送信する場合があり、これにより接続された装置１１、１３、１５、１７の消費電力を制御できる。
【００３０】
いくつかの実施形態においては、ＰＣＤＤ、もしくはＭＰＣＤＤが、個々の発光画素を備えるディスプレイを含んでもよい。ＰＣＤＤ１７は、電力制御イベントの通知を受け取り、その電力制御イベントに応じて、ＰＣＤＤ１７のディスプレイに表示される画像コンテンツを調整する場合がある。この調整は、トーンスケール調整曲線を適用することを含んでもよい。
【００３１】
いくつかの実施形態においては、ＰＣＤＤもしくはＭＰＣＤＤが、個々の発光画素を備えるディスプレイを含んでもよい。ＰＣＤＤ１７は、電力制御イベントの通知を受け取り、その電力制御イベントに応じて、ＰＣＤＤ１７のディスプレイにおけるディスプレイ輝度設定を低下させてもよい。
【００３２】
いくつかの実施形態においては、ＭＰＣＤＤ１７は、電力会社のような電気供給者から電力使用料金およびコストデータを受信する場合があり、その代わりとして、または追加的に、電力制御イベントの通知を受け取る場合がある。いくつかの実施形態では、電力制御イベントは、ピーク需要期間の表示、もしくは需要の変化に関する表示を含んでもよい。いくつかの実施形態では、電力制御イベントの通知は、電力需要の変化が起こるとき、または消費電力における変化が、電力消費者、地域もしくは環境に利益をもたらす可能性があるときに、周期的に送受信されてもよい。いくつかの実施形態では、電力制御イベントは、電力コストに関わるものでなくてもよく、環境的要因もしくは他の政策的要因に基づいていてもよい。
【００３３】
いくつかの実施形態においては、電力使用料金およびコストデータ、および／または電力制御イベントの通知は、無線ネットワークのようなデータ通信ネットワークを介して受信される。例えば、ＭＰＣＤＤ１７は、無線ネットワークインターフェースコントローラを含んでもよく、ＩＥＥＥ８０２．１１規格、Ｂｌｕｅｔｏｏｔｈ規格（登録商標）、もしくは他の無線ネットワーク規格、およびこれらに関連するプロトコルを用いて接続を行う。いくつかの実施形態では、ＭＰＣＤＤ１７は、有線ネットワークコントローラもしくはモデムを含んでもよく、有線ネットワーク規格、および有線ネットワークもしくは電話回線上のプロトコルを用いて、電力供給者と通信を行ってもよい。
【００３４】
いくつかの実施形態では、ＭＰＣＤＤ１７は、テレビチューナー２２を通して信号１９を受信することにより、テレビチャネルを介して、電力使用料金およびコストデータ、および／または電力制御イベントを受け取ってもよい。これらの実施形態では、テレビ放送は、電力使用料金およびコストデータを含んでもよく、また、様々な料金変化に対する時間を含んでもよい。電力使用料金およびコストデータは、ＰＭＵを通して接続されているあらゆる装置を規制するための電力管理パラメータを決定するために、ＭＰＣＤＤ１７によって用いられる場合がある。ＭＰＣＤＤ１７は、ある特定の期間に装置の消費電力を制限し得る消費電力スケジュールを決定するために、電力使用料金およびコストデータ、および／または電力制御イベントを用いる場合がある。いくつかの実施形態において、効率的な消費をスケジュールするために、電力使用料金の変化のタイミングが用いられることがある。例えば、消費電力スケジュールの一例では、冷蔵庫１１およびＡＣユニット１６のような冷暖房装置は、電力使用料金の増加期間中に低エネルギーで使用できるように、電力使用料金が増加する直前の期間に通常の温度制御レベルを下回って冷却するようにスケジュールされる、あるいはプログラムされてもよい。同様に、冷房装置１１、１６は、電力使用料金が減少した後にまで十分な冷却を遅らせるために、電力使用料金が減少する直前の期間に通常の温度制御レベルよりも高い温度での制御が許されるようにスケジュールされる、あるいはプログラムされるようにしてもよい。
【００３５】
同様に、消費電力スケジュールの一例では、暖房装置を、電力使用料金が増加する直前の期間に温度制御レベルを上回るレベルに暖めるように駆動させるようにしてもよいし、電力使用料金が減少した後にまで十分な暖房を遅らせるように、電力使用料金が減少する直前の期間に温度制御レベルでの暖房を遅らせてもよい。
【００３６】
いくつかの実施形態では、ＭＰＣＤＤ１７は、温度調節装置を制御するために、サーモスタット１４のようなサーモスタットと直接通信する場合がある。他の実施形態では、ＭＰＣＤＤ１７は、ＡＣユニット１６、冷蔵庫１１およびオーブン１３のような装置を制御するために、これらの装置と直接通信する場合もある。
【００３７】
また、いくつかの実施形態では、ＭＰＣＤＤ１７は、電力使用料金およびコストデータ、および／または電力制御イベントの通知を、無線周波数テレビ放送またはチャネルを介して受信してもよい。いくつかの実施形態では、ＭＰＣＤＤ１７は、電力使用料金およびコストデータを、ケーブルテレビ接続もしくはチャネルを介して受信してもよい。いくつかの実施形態では、電気供給者あるいは電力会社１は、電力使用料金およびコストデータを、特定の周期で、あるいはリアルタイムに、ブロードキャスト２４する場合がある。いくつかの実施形態では、電力供給者１は、その電力供給者、電力使用料金が変化する任意の時間、および各時間において適用される電力使用料金を特定するデータを含む信号を、放送あるいは送信するようにしてもよい。いくつかの場合においては、電力使用料金は、異なったユーザのクラス（例えば、ビジネス用または家庭用）、異なった用途、あるいは、使用されたエネルギー量に基づいて料金が変化するときなどの消費カテゴリーのために特定される。また、いくつかの場合においては、ピーク需要期間に対応するために特定の指示が生成される。
【００３８】
いくつかの実施形態では、電気事業者からの電力使用料金およびコストデータは、ＭＰＣＤＤ１７が、ＭＰＣＤＤ１７の制御下にある特定の装置を制御することを可能とする、ＭＰＣＤＤ１７が認識可能なコマンドを含んでもよい。例えば、ユーザは、電力供給者からのＭＰＣＤＤ１７によって受信される信号を介して、電力供給者が特定の装置を制御できるようにＭＰＣＤＤ１７をユーザ嗜好にあわせて設定してもよい。いくつかの場合においては、電力供給者は、直接ＭＰＣＤＤ１７に対して、ピーク需要期間に特定の装置の電源を落とすよう指示したり、特定の期間（例えばピーク需要期間）におけるサーモスタットの温度設定を調整するなど、ある特定の装置の設定を調整するよう指示できる。また、いくつかの場合には、ユーザは、電力供給者からの全てあるいはいくつかのコマンドを、受け付けない、あるいは調整するように、ＭＰＣＤＤ１７をプログラムしてもよい。
【００３９】
いくつかの実施形態においては、ＭＰＣＤＤ１７は、テレビ信号から導出される電力使用料金およびコストデータを、自身と通信状態にある様々な装置の電力スケジュールを生成するために用いる場合がある。ＭＰＣＤＤ１７は、電力供給者の電力使用料金およびコストデータから導出される情報をユーザに表示し、ユーザ嗜好を得るためのユーザ入力を受け付けるためのプロンプトを表示してもよい。ユーザ嗜好データは、各装置、ある一群の装置に特有のものであってもよく、あるいはＭＰＣＤＤ１７によって制御されるすべての装置に共通のものであってもよい。ユーザ嗜好データは、ある特定の時間の電力コストに関して条件づけされた指示を含んでもよい。例えば、ユーザは、ＭＰＣＤＤ１７に対して、電力コストがある特定のレベルを下回ったときにのみ特定の装置を動作させるように指示する嗜好を選択できる。あるいは、ユーザは、電力供給者１から受信した電力使用料金およびコストデータにおいて示されるピーク需要期間に、ある特定の装置が動作しないように嗜好を特定できる。
【００４０】
いくつかの実施形態においては、ＭＰＣＤＤ１７は、テレビ番組コンテンツを、テレビチャネル、もしくは他の通信リンクを介して受信する場合もある。ＭＰＣＤＤ１７は、テレビ番組コンテンツおよび電力コストデータに関連するユーザ嗜好の入力も受信する。そして、ＭＰＣＤＤ１７は、消費電力スケジュールを生成するために、ユーザ嗜好の入力、電力使用料金およびコストデータ、およびテレビ番組スケジュールを用いてもよく、消費電力スケジュールはユーザが望むテレビ番組に対応した電力割当量を含んでもよい。例えば、電力消費スケジュールの一例では、テレビが、ピーク需要あるいは電力割当期間に発生する好きな番組の間にフルパワーで動作できるように、自動的に他の装置の消費電力を調整できる。
【００４１】
本発明に係るいくつかの実施形態は、図３を参照して説明できる。これらの実施形態は、主電力制御セットトップボックス（Ｍａｓｔｅｒ  Ｐｏｗｅｒ  Ｃｏｎｔｒｏｌ  Ｓｅｔ−Ｔｏｐ  Ｂｏｘ；ＭＰＣＳＴＢ）２５を含み、ＰＭＵと他の電力制御装置との間で信号１８を送受信する。ＭＰＣＳＴＢ２５は、テレビ放送チャネル、ケーブルテレビ信号、または、他のアナログもしくはデジタルテレビ放送媒体のようなテレビ信号１９を介して通信してもよい。ＭＰＣＳＴＢ２５は、一般的にはテレビ２０のような表示装置に接続されている。ＭＰＣＳＴＢ２５は、テレビチューナー２２を含む場合もある。
【００４２】
いくつかの実施形態においては、ＭＰＣＳＴＢ２５は、通信および処理機能が表示装置と一体となっているというより、むしろセットトップボックスに格納されているという点を除いて、ＭＰＣＤＤ１７、もしくは後述するＰＣＤＤ５６と本質的に同じ機能を発揮する。ＭＰＣＳＴＢ２５は、電気供給者から電力使用料金およびコストデータを受信する場合があり、このデータは電力コストスケジュールを含んでもよい。この電力使用料金およびコストデータは、電気供給者から直接受信される場合もあるし、テレビ放送を介して、あるいは他の方法で受信される場合もある。そして、このデータは、接続されたディスプレイ２０によってユーザへ提示され、それは電力制御および画像補正コンポーネントを備える電力制御された表示装置であってよい。いくつかの実施形態では、ＭＰＣＳＴＢ２５は、画像補正コンポーネントを含み（以下で説明され、参照のために引用された特許出願に含まれる）、ディスプレイ２０は、ＭＰＣＳＴＢ２５からアクセスできるバックライト制御インターフェースのみを含んでもよい。
【００４３】
〔内部電力管理を伴うディスプレイ〕
本発明に係るいくつかの実施形態においては、テレビまたは表示装置は、電力に関するメッセージ表示機能と共に、内部電力管理機能を含んでもよく、メッセージ表示機能は、表示装置、または表示装置と通信できる他の装置の消費電力に関するものであってよい。また、いくつかの実施形態では、表示装置は、ＭＰＣＤＤ１７を含む場合がある。
【００４４】
いくつかの実施形態においては、テレビまたは表示装置は、消費者に情報を提示するための能力に加えて、テレビのユーザインターフェースまたは遠隔制御を介して、ユーザがシステムにフィードバックを与える能力を提供するようにしてもよい。これらの特徴は、テレビの消費電力の規制とは無関係であってもよい。
【００４５】
いくつかの実施形態においては、テレビまたは表示装置は、消費電力に関するいくつかのタイプの情報を表示できる。例えば、
・電力網の最近、および現在の状態
・現在の電気価格とその履歴
・電力網オペレータ／電力供給者からの警告メッセージ
・家庭内の電化製品の状況およびスケジュールのような、ホームサーバまたはＭＰＣＤＤ１７からの消費電力情報
などである。
【００４６】
ユーザは、入力装置、および視覚的なフィードバックのためのディスプレイのようなテレビの遠隔制御装置を用いて、ホームサーバの電力管理処理装置と通信できる。例えば、ディスプレイまたはテレビ制御を通して可能となる動作の一例は、
・電力管理システムにおける装置の優先度を設定すること
・システムの電力制御の決定を無効にすること
を含む。
【００４７】
本発明に係るいくつかの実施形態は、図４を参照して説明できる。これらの実施形態は、電力制御可能な表示装置（ＰＣＤＤ）５６を含み、表示装置それ自身の消費電力は、表示コンテンツ及びその他のパラメータと同様に、電力使用料金およびコストデータに応じて、内部的に調整あるいは変更されてもよい。
【００４８】
いくつかの実施形態においては、ＰＣＤＤ５６は、電力制御サーバ４０と接続されている場合がある。この場合、ＰＣＤＤ５６は、無線ネットワーク接続、有線ネットワーク接続、電話回線、電力線ネットワーク接続、無線周波数接続、赤外線接続、テレビチャネル、もしくは他の通信接続など、様々な通信ネットワークを介して、電力使用料金およびコストデータを受信できる。
【００４９】
いくつかの実施形態では、電力制御サーバ４０は、ＰＣＤＤ５６に含まれる要素であってもよい。いくつかの実施形態では、電力制御サーバ４０は、ユーザ嗜好データと同様に電力使用料金およびコストデータを処理してもよく、バックライトおよび画素値などのＰＣＤＤの要素、または、ＰＭＵを備えるあらゆる装置もしくは他の制御可能な装置などの他の装置を制御するための制御データを生成してもよい。これらの処理機能は、ＰＣＤＤ５６、もしくはＭＰＣＤＤ１７の要素を処理することで実現されるようにしてもよい。
【００５０】
いくつかの実施形態においては、ＰＣＤＤ５６は、ＰＣＤＤ５６のディスプレイに表示される情報を受信するために、情報インターフェース４１を含む場合もある。この情報は、電力制御サーバ４０、遠隔制御インターフェース４７、ＰＣＤＤの他の要素（例えば、テレビの手動制御、周囲のセンサー、表示コンテンツ）、ＰＭＵ、あるいは他の入力要素から受信されてもよい。情報インターフェース４１は、ユーザによる消費のために、ＰＣＤＤ５６のディスプレイに表示するためのデータを処理し、フォーマットしてもよい。そして、情報インターフェース４１において受信され、生成される情報は、情報オーバレイモジュール４１に送信される場合がある。ここで、その情報は、背景画像なしの直接表示のために、もしくは他の画像との融合のためにフォーマットされることがある。いくつかの実施形態では、情報オーバレイモジュール４２は、情報オーバレイに組み合わせられる画像を規定する画像データ５７を受信する場合もある。そして、情報オーバレイデータを含み得る、情報が変更された画像４３は、バックライトの変化に関する変更のために、バックライト変更モジュール４６へ送信されることがある。
【００５１】
いくつかの実施形態は、ユーザからのユーザ入力を受け付けるために遠隔制御インターフェース４７を含むことがある。また、いくつかの実施形態では、ユーザ入力するようユーザに指示するために、情報はＰＣＤＤ５６のディスプレイに表示されることがある。典型的な実施形態においては、ＰＣＤＤ５６は、消費電力、テレビあるいは表示コンテンツ、電力使用料金およびコストデータ、およびその他の要素に関するユーザ嗜好の入力を行うようユーザに指示する。遠隔制御インターフェース４７を介してユーザから受け付けた入力は、情報インターフェース４１、電力制御サーバ４０、ＰＣＤＤと等価なコンポーネント、および／または他のＰＣＤＤ５６のコンポーネントへ転送される場合がある。
【００５２】
いくつかの実施形態においては、ＰＣＤＤ５６は、電力制御イベントの通知を、無線周波数テレビ放送またはチャネルを介して受信することがある。いつくかの実施形態では、ＰＣＤＤ５６は、電力使用料金およびコストデータを、ケーブルテレビ接続もしくはチャネルを介して受信してもよい。
【００５３】
本発明に係る実施形態は、電力制御メッセージ、または、電力制御サーバ４０もしくはこれと等価なＰＣＤＤ５６の内部コンポーネントからのコマンドを受信するために、電力制御インターフェース４４を含むこともある。電力制御インターフェース４４は、電力制御コマンドを受信し、ＰＣＤＤ５６の消費電力を制御するための制御信号内のコマンドを解釈または処理する。いくつかの実施形態では、電力制御インターフェース４４で生成された電力制御信号は、バックライトの照度レベルを規定する場合がある。他の実施形態においては、電力制御信号は、望まれる平均電力４５のような目標電力パラメータを規定するものであってもよく、ある特定の電力もしくは照度レベルを設定するために電力制御モジュール５２を指示する、または、バックライト電力もしくは他の電力パラメータを変更するためにある特定のアルゴリズムを選択するものである。
【００５４】
いくつかの実施形態においては、電力制御モジュール５２は、バックライト変更モジュール４６からの入力を受信する場合があり、平均画素レベル、ヒストグラムデータ、最大画素レベル、最小画素レベル、そして他の画像コンテンツに関する多くのパラメータといった画像コンテンツデータを提供してもよい。いくつかの実施形態では、バックライト変更モジュール４６は、電力制御モジュール５２にシーンカットデータ５１を供給する場合もあるが、他の実施形態ではこの特徴を用いなくてもよい。
【００５５】
いくつかの実施形態においては、バックライト変更モジュール４６は、画像データを受信することがあり、情報オーバレイモジュール４２によって代替されても、されなくてもよい。この画像データは、一般的に、画素値のような画像コンテンツデータを含み、また、画像ソース、生成者、キャプチャーあるいは他のデータと同様に画像コンテンツおよびフォーマットデータを記述するメタデータを含んでもよい。バックライト変更モジュール４６は、画像データを受信し、選択されたバックライトレベル４９を決定するために画像データを解析、もしくは処理することがある。いくつかの場合においては、選択されたバックライトレベル４９は、いかなる画像データとも無関係に決定されることがある。ひとたびバックライトレベルが決定されれば、画像データは、バックライトの制御の結果としての低下したバックライトレベルといった、非標準化、非最大化、その他のバックライトの変更に対して補正され得る。画像は、当該画像のローパスバージョンに対してトーンスケール調整曲線を適用することにより調整されてもよいし、当該画像のローパスバージョンに対してトーンスケール調整曲線を適用し、当該画像のハイパスバージョンに対して定ゲイン乗数を適用することにより調整されてもよい。こうした画像補正の典型的な実施形態は、参照のために引用された特許出願で述べられている。この補正された画像４８は、表示のためにＬＣＤパネルへ送信される。
【００５６】
いくつかの実施形態においては、バックライト変更モジュール４６は、選択されたバックライトレベル信号４９を電力制御モジュール５２へ供給する場合があり、５８において電力制御パラメータに基づく選択されたバックライトレベルに変更することがある。いくつかの場合においては、変更されたバックライト信号５３（すなわち、暗いバックライト）は、ＬＣＤ５５において補正された画像４８を表示するときに使用するためにバックライト制御５４に送信されるのと同様に、電力制御モジュール５２へフィードバックされてもよい。
【００５７】
なお、電力制御インターフェース４４によって受信された電力使用料金およびコストデータは、電力制御スケジュール、または、ＰＣＤＤ５６内およびＰＣＤＤ５６に接続された他のあらゆる装置で電力を管理するための電力制御ルールセットを生成するために、リモート制御インターフェース４７、もしくは他の入力から受け取ったユーザ嗜好に沿って用いられることがある。いくつかの実施形態においては、ＭＰＣＤＤ１７は、ＰＣＤＤ５６を含む場合があり、ＰＭＵもしくは同様の接続を介して接続されている複数の外部装置を制御する場合もある。
【００５８】
いくつかの実施形態においては、ＰＣＤＤ５６は、電力使用料金およびコストデータに基づいて、内部のバックライトレベルおよび他の消費電力レベルを変更することがあり、このデータはピーク電力需要期間、電力使用料金の変化、電力割引期間、および他のコストに関する電力データを規定していることがある。ＭＰＣＤＤ１７もしくはＰＣＤＤ５６は、事業者による規制、政府による規制、または、義務的もしくは自発的になされた他の規制を含む規制データを受信する場合もある。いくつかの実施形態では、電力制御イベントの通知は、ＭＰＣＤＤ１７もしくはＰＣＤＤ５６に送信されることがある。いくつかの実施形態では、電力制御イベントは、ピーク需要期間の表示、もしくは需要の変化に関する表示を含んでもよい。いくつかの実施形態では、電力制御イベントの通知は、電力需要の変化が起こるとき、または消費電力における変化が、電力消費者、地域もしくは環境に利益をもたらす可能性があるときに、周期的に送受信されてもよい。いくつかの実施形態では、電力制御イベントは、電力コストに関わるものでなくてもよく、環境的要因もしくは他の政策的要因に基づいていてもよい。いくつかの実施形態では、ユーザ嗜好は、バックライトの制御もしくは装置の電力制御動作のような、自動化された電力制御動作を指示するために設定される場合がある。規制データは、ケーブル、もしくは無線周波数接続によるテレビチャネルを介して受信されてもよい。規制データはまた、電力使用料金およびコストデータが受信されるときにだけ、無線または有線ネットワーク接続を介して受信されてもよい。
【００５９】
いくつかの実施形態においては、表示を暗くすることなく平均電力目標を満たすように、適応的に表示を暗くするための電力制御アルゴリズムが用いられる。いくつかの実施形態では、電力制御モジュールは、所望の平均電力目標を達成するために最大ＢＬを調整する。初期の電力消費率は、その目標より大きくなるよう設定される場合がある。すなわち、電力制御は、目標へ向けて消費電力を削減するために、選択されたバックライトを調整することがある。また、調整の変化率は、輝度が視覚的に気づかれない程度に変化するよう制限されてもよい。
【００６０】
本発明のいくつかの実施形態は、図５を参照して説明できる。これらの実施形態において、ＭＰＣＤＤ１７、ＰＣＤＤ５６またはＭＰＣＳＴＢ２５のような電力制御および表示装置は、Ｓ６０で電力コストデータを受信できる。電力コストデータは、変動する電力コストの時間周期の開始時刻に制限されないが、その時刻を含む電力使用料金及びコストデータを含んでいてもよい。このデータは、直接接続、有線／無線ネットワーク接続もしくはテレビチャネル放送から、または他の通信方法によって受信できる。
【００６１】
これらの実施形態の電力制御および表示装置は、Ｓ６２で、電力コストデータにおいて特定された期間の消費電力に関連したユーザ嗜好データも受信できる。ユーザ嗜好データは、電力制御および表示装置と通信して遠隔制御装置を介して、または他の通信方法によって、Ｓ６２で受信され得る。
【００６２】
電力コストデータおよびユーザ嗜好データに基づいて、電力制御および表示装置は、Ｓ６４で消費電力スケジュールを生成できる。消費電力スケジュールは、電力制御および表示装置と通信して任意の電力消費装置を制御するための電力制御コマンドを含むことができる。消費電力スケジュールはまた、ディスプレイのバックライトおよび付随の画像補正コンポーネントのような、電力制御および表示装置の内部コンポーネントを制御するための電力制御コマンドを含んでいてもよい。これらの電力制御コマンドは、Ｓ６６で、接続された装置または内部コンポーネントの消費電力を規制するための信号を生成するために内部で用いられ得る。あるいは、これらの電力制御コマンドは、Ｓ６６で、消費電力を規制するための電力制御コマンドを読み込む処理コンポーネントを有する、接続された装置に直接送信されてもよい。
【００６３】
本発明のいくつかの実施形態は、図６を参照して説明できる。これらの実施形態において、ＭＰＣＤＤ１７、ＰＣＤＤ５６またはＭＰＣＳＴＢ２５のような電力制御および表示装置は、Ｓ７０で電力コストデータを受信できる。電力コストデータは、変動する電力コストの時間周期の開始時刻に制限されないが、その時刻を含む電力使用料金及びコストデータを含んでいてもよい。このデータは、直接接続、有線／無線ネットワーク接続もしくはテレビチャネル放送から、または他の通信方法によって受信できる。
【００６４】
これらの実施形態において、電力制御および表示装置は、Ｓ７１でテレビ番組データを受信することもできる。このテレビ番組データは、様々なチャネルで様々な時間に放送しているコンテンツのスケジュールを含んでいてもよい。
【００６５】
これらの実施形態の電力制御および表示装置は、Ｓ７２で、電力コストデータにおいて特定された期間の消費電力に関連したユーザ嗜好データも受信できる。ユーザ嗜好データは、テレビ番組データに関連したユーザ嗜好に関する情報を含んでもよい。ユーザ嗜好データは、電力制御および表示装置と通信して遠隔制御装置を介して、または他の通信方法によって、Ｓ７２で受信され得る。
【００６６】
電力コストデータ、テレビ番組データおよびユーザ嗜好データに基づいて、電力制御および表示装置は、Ｓ７３で消費電力スケジュールを生成できる。消費電力スケジュールは、電力制御および表示装置と通信して任意の電力消費装置を制御するための電力制御コマンドを含むことができる。消費電力スケジュールはまた、ディスプレイのバックライトおよび付随の画像補正コンポーネントのような、電力制御および表示装置の内部コンポーネントを制御するための電力制御コマンドを含んでもよい。これらの電力制御コマンドは、Ｓ７４で、接続された装置または内部コンポーネントの消費電力を規制するための信号を生成するために内部で用いられ得る。あるいは、これらの電力制御コマンドは、Ｓ７４で、消費電力を規制するための電力制御コマンドを読み込む処理コンポーネントを有する、接続された装置に直接送信され得る。
【００６７】
本発明のいくつかの実施形態は、図７を参照して説明できる。これらの実施形態において、ＭＰＣＤＤ１７、ＰＣＤＤ５６またはＭＰＣＳＴＢ２５のような電力制御および表示装置は、Ｓ８０で電力コストデータを受信できる。電力コストデータは、変動する電力コストの時間周期の開始時刻に制限されないが、その時刻を含む電力使用料金及びコストデータを含むことができる。このデータは、直接接続、有線／無線ネットワーク接続もしくはテレビチャネル放送から、または他の通信方法によって受信できる。
【００６８】
これらの実施形態において、電力制御および表示装置は、Ｓ８１で装置消費電力データを受信することもできる。この装置消費電力データは、接続された装置による消費電力の履歴、様々な動作に対する、接続された装置による消費電力のリスト、または他の消費電力情報を含んでもよい。
【００６９】
これらの実施形態の電力制御および表示装置は、Ｓ８２で、電力コストデータにおける特定された期間の消費電力に関連したユーザ嗜好データも受信できる。ユーザ嗜好データは、装置の消費電力に関連したユーザ嗜好に関する情報を含んでもよい。ユーザ嗜好データは、電力制御および表示装置と通信して遠隔制御装置を介して、または他の通信方法によって、Ｓ８２で受信され得る。
【００７０】
電力コストデータ、テレビ番組データおよびユーザ嗜好データに基づいて、電力制御および表示装置は、Ｓ８３で消費電力スケジュールを生成できる。消費電力スケジュールは、電力制御および表示装置と通信して電力消費装置を制御するための電力制御コマンドを含むことができる。消費電力スケジュールは、ディスプレイのバックライトおよび付随の画像補正コンポーネントのような、電力制御および表示装置の内部コンポーネントを制御するための電力制御コマンドも含んでもよい。これらの電力制御コマンドは、Ｓ８４で、接続された装置または内部コンポーネントの消費電力を規制するための信号を生成するために内部で用いられ得る。あるいは、これらの電力制御コマンドは、Ｓ８４で、消費電力を規制するための電力制御コマンドを読み込む処理コンポーネントを有する、接続された装置に直接送信され得る。
【００７１】
本発明のいくつかの実施形態は、図８を参照して説明記載できる。これらの実施形態において、スマートメーター４は、電力制御イベントの通知を受信し、表示装置へこの通知の受領を通信できる。あるいは、電力制御される表示装置（ＰＣＤＤ）５６または主電力制御表示装置（ＭＰＣＤＤ）１７は、電力制御イベントの通知を受信できる。いくつかの実施形態において、電力制御イベントの通知は、ピーク需要期間の表示または需要の変化に関する表示を含んでもよい。いくつかの実施形態において、電力制御イベントの通知は、電力需要の変化が起こるとき、あるいは、消費電力における変化が、電力消費者、地域もしくは環境に利益をもたらす可能性があるときに、周期的に送受信されてもよい。いくつかの実施形態において、電力制御イベントは、電力コストに関わるものではなくてもよく、および／または、環境的要因または他の政策的要因に基づいてもよい。いくつかの実施形態において、電力制御イベントの通知は、電力制御イベントの発生を示した簡単なメッセージでもよい。その通知がスマートメーター４によって直接受信されるとしても、あるいはスマート表示装置１７，５６によって直接受信されるとしても、メッセージは、ＭＰＣＤＤ１７またはＰＣＤＤ５６のようなスマートディスプレイへと転送される。
【００７２】
これらの実施形態において、ＭＰＣＤＤ１７またはＰＣＤＤ５６は、Ｓ９０で、１つ以上の（エネルギー効率のような）エネルギー要因または他の要因に基づいてバックライトレベルを選択する。
【００７３】
エネルギー効率に基づいたバックライトの選択は従来からよく知られており、例えば、下記の文献に示される。
【００７４】
L. Kerofsky “LCD Backlight Selection through Distortion Minimization”, International Display Workshop 2007 pp. 315-318には、理想的なディスプレイ、ゼロブラックレベルおよび無限コントラスト比のＬＣＤ間の歪みを規定するＬＣＤのためのバックライト選択アルゴリズムが開示されている。
【００７５】
Raman and Hekstra, “Content Based Contrast Enhancement for Liquid Crystal Displays with Backlight Modulation”, IEEE Transactions on Consumer Electronics, Vol. 51, No. 1, FEBRUARY 2005には、ＬＣＤディスプレイのための低グレーレベルでの光漏れの影響を除去するための技術が開示されている。
【００７６】
画像コンテンツは、次にＳ９２で、バックライト選択を補正するために調整され得る。たいていの場合、バックライト選択は、エネルギー消費を削減するために最大レベルよりも低いと考えられる。画像補正は、低下したバックライトレベルで表示されている間の画像の輝度を保つために、トーンスケール調整曲線の適用を含むことができる。この補正を実行するための様々な方法は、上記において、および参照のために本明細書に引用された参考文献中で説明されている。電力制御イベントの通知は、次にＳ９４で、表示装置で受信され得る。そしてＳ９６で、選択されたバックライトレベルは、電力制御イベントに応じて調整され得る。いくつかの実施形態において、電力制御イベントの通知は、ピーク需要期間または他の需要状態の発生を知らせてもよい。いくつかの実施形態において、ディスプレイは、Ｓ９６で、ピーク需要期間あるいは増加した需要期間が始まっているといった通知に応じて、より低いレベルへバックライト選択を調整してもよい。
【００７７】
いくつかの実施形態において、ユーザは、ＰＣＤＤのディスプレイ上にプロンプトを表示することによって、消費電力に関連するユーザ嗜好データの入力を指示できる。次に、ＰＣＤＤは、上述のようなＰＣＤＤを制御する遠隔制御装置を介して、ＰＣＤＤにおいて消費電力に関連するこのユーザ嗜好データを受信できる。こうして、ＰＣＤＤのための、装置制御データを含むディスプレイ制御スケジュールが決定され得る。ディスプレイ制御スケジュールは、電力制御イベントおよびユーザ嗜好データの上述の通知に基づくことができる。
【００７８】
ディスプレイ制御スケジュールは、電力制御イベントおよびユーザ嗜好データから決定され得る。基本的な例を表１に示し、電力イベントおよびユーザ嗜好の各組み合わせに対する使用のための最大電力比を表す。表１は、一例として、「通常」、「ピーク」および「臨界」の３つの電力イベント（電力制御イベント）と、「効率的」、「バランスの取れた」および「フル性能」の３つのユーザ嗜好設定（ユーザ嗜好データ）とを示す。電力状態および嗜好設定によって、表１に示すように、電力イベントおよびユーザ嗜好設定の異なる組み合わせに対して、電力削減の割合は特定される。表１から得たこれらの割合は、図４に示したように、所望の平均電力４５を決定するために使用され得る。この所望の電力図の使用においての詳細は、例えば、Louis Kerofsky “Feedback Based Power Management for LCD Backlight Modulation for Guaranteed Average Levels of Power Consumption” International Display Workshop 2009 に開示されている。
【００７９】
【表１】
2011175243.tif 000003
【００８０】
ここから、画像コンテンツは、ディスプレイ制御スケジュールに従って更に調整され得る。
【００８１】
いくつかの実施形態は、図９を参照して説明できる。これらの実施形態では、ＭＰＣＤＤ１７またはＰＣＤＤ５６は、ＬＥＤまたはＯＬＥＤ素子のような個々の発光画素を有するディスプレイを備え得る。これらの表示装置は、操作可能なバックライトを備えなくてもよい。しかしながら、画像を「明るく」する、または、消費電力を低下させるために画像を「暗く」するために、画像コード値が操作または調節され得る。上記において、および参照のために本明細書書に引用された参考文献の中で開示された画像補正技術は、電力制御イベントの通知に応じて画像コード値を調整するために用いられてもよい。いくつかの実施形態において、Ｓ１００で、スマートメーター４は、電力制御イベントの通知を受信および解釈し、および／または、表示装置へ通知を転送することができる。いくつかの実施形態において、電力制御イベントの通知は、Ｓ１００で、ＭＰＣＤＤ１７またはＰＣＤＤ５６で直接受信され得る。ディスプレイ１７、５６での通知の受信に応じて、画像コンテンツは、Ｓ１０２で、エネルギー消費変化あるいは他の効果をもたらすために、画像コード値を明るくするまたは暗くすることによって調整され得る。
【００８２】
本発明のいくつかの実施形態は、図１０を参照して説明できる。これらの実施形態において、ディスプレイ輝度要因（設定）は、Ｓ１０６で、エネルギー要因または他の要因に基づいて選択され得る。他の実施形態などで、電力制御イベントの通知も、Ｓ１０８で、ＭＰＣＤＤ１７またはＰＣＤＤ５６で直接、あるいはスマートメーター４を介して受信され得る。通知の受信に応じて、ディスプレイ輝度要因は、Ｓ１１０で、電力制御イベントの使途が分かるように調整され得る。いくつかの実施形態において、ディスプレイ輝度要因（設定）は、複数のバックライト設定で画像歪みを解析することによってもよい。いくつかの実施形態において、ピーク需要期間が電力制御イベントの通知において示される場合、ディスプレイ輝度は、消費電力を削減するために低下され得る。
【００８３】
上述の明細書で使用されている用語および表現は、記述のための用語としてここで使用されるものであり、限定するのためものではない。そして、記載された特徴と同義であるものを排除するように、そのような用語および表現、またはその一部の使用を意図するものではない。また、本発明の範囲は、以下の請求項によってのみ定義そして限定されるものであると認識されることを意図するものではない。
【図１】
2011175243.tif 000004
【図２】
2011175243.tif 000005
【図３】
2011175243.tif 000006
【図４】
2011175243.tif 000007
【図５】
2011175243.tif 000008
【図６】
2011175243.tif 000009
【図７】
2011175243.tif 000010
【図８】
2011175243.tif 000011
【図９】
2011175243.tif 000012
【図１０】
2011175243.tif 000013
【外国語明細書】
2011175243000001.pdf